(57)【要約】【課題】広幅の磁気テープを、長手方向に沿って、裁断して、磁気テープを製造する際に、得られる磁気テープの裁断面の不規則な凹凸パターンを最小限に抑制することができ、データの記録時あるいはデータの再生時に、磁気テープの裁断面の不規則な凹凸パターンに起因して、磁気テープの裁断面の一部が、磁気テープの裁断面から剥離して、脱落することを効果的に防止することができる磁気テープの製造方法を提供する。【解決手段】互いにオーバーラップし、反対向きに回転する円板状の上刃６と円板状の下刃７との間に供給された広幅の磁気テープの裁断が開始されるときの上刃と下刃のなす裁断開始角度θを、６°ないし１２°に設定して、広幅の磁気テープを裁断し、磁気テープを製造する。【選択図】      図５
2004272967.tif 000002
【特許請求の範囲】
【請求項１】
広幅の支持体の一方の面に、磁気記録層が形成され、他方の面に、バックコート層が形成された広幅の磁気テープを、互いにオーバーラップし、反対向きに回転する円板状の上刃と円板状の下刃の間に供給して、所定の幅に裁断し、磁気テープを製造する磁気テープの製造方法であって、前記上刃として、前記下刃に対向する面が面取りされた上刃を用い、互いにオーバーラップし、反対向きに回転する前記円板状の上刃と前記円板状の下刃との間に供給された前記広幅の磁気テープの裁断が開始されるときの前記円板状の上刃と前記円板状の下刃のなす裁断開始角度を、６°ないし１２°に設定して、前記広幅の磁気テープを裁断し、磁気テープを製造することを特徴とする磁気テープの製造方法。
【請求項２】
互いにオーバーラップし、反対向きに回転する前記円板状の上刃と前記円板状の下刃との間に供給された前記広幅の磁気テープの裁断が開始されるときの前記円板状の上刃と前記円板状の下刃のなす裁断開始角度を、７°ないし１１°に設定して、前記広幅の磁気テープを裁断し、磁気テープを製造することを特徴とする請求項１に記載の磁気テープの製造方法。
【請求項３】
前記上刃が、１ないし２０°に面取りされたことを特徴とする請求項１または２に記載の磁気テープの製造方法。
【請求項４】
前記上刃が、３．５μｍ以下の幅で面取りされたことを特徴とする請求項１ないし３のいずれか１項に記載の磁気テープの製造方法。
【請求項５】
前記磁気テープが、コンピュータ用データバックアップテープとして、構成されていることを特徴とする請求項１ないし４のいずれか１項に記載の磁気テープの製造方法。
【発明の詳細な説明】
【０００１】
【発明の属する技術分野】
本発明は、磁気テープの製造方法に関するものであり、さらに詳細には、互いにオーバーラップし、反対向きに回転する円板状の上刃と下刃の間に、広幅の磁気テープを供給し、その長手方向に沿って、広幅の磁気テープを裁断して、磁気テープを製造する際に、得られる磁気テープの裁断面の不規則な凹凸パターンを最小限に抑制することができ、データの記録時あるいはデータの再生時に、磁気テープの裁断面の不規則な凹凸パターンに起因して、磁気テープの裁断面の一部が、磁気テープの裁断面から剥離して、脱落することを効果的に防止することができる磁気テープの製造方法に関するものである。
【０００２】
【従来の技術】
通常、磁気テープは、広幅の支持体の一方の面に、磁気記録層を形成し、他方の面に、バックコート層を形成した後、裁断装置の回転する上刃と下刃の間に、広幅の磁気テープを供給して、製品の幅に裁断して、製造されている。
【０００３】
しかしながら、互いにオーバーラップし、反対向きに回転する円板状の上刃と下刃の間に、広幅の磁気テープを供給して、製品の幅に裁断し、磁気テープを製造する場合には、裁断面に不規則な凹凸パターンが生じやすいことが知られており、磁気テープの裁断面に大きな不規則な凹凸パターンが生じた場合には、磁気テープの裁断面が、ガイド面となるため、磁気テープにデータを記録する際に、磁気テープをガイドするデータ記録装置のガイド部材によって、磁気テープの裁断面をガイドしたとき、あるいは、磁気テープからデータを再生する際に、磁気テープをガイドするデータ再生装置のガイド部材によって、磁気テープの裁断面をガイドしたときに、裁断面の一部が、磁気テープの裁断面から剥離して、脱落するという不具合が生じるおそれがある。
【０００４】
【発明が解決しようとする課題】
このような不具合の発生を防止し、磁気テープの裁断面の不規則な凹凸パターンが小さくなるように、広幅の磁気テープを裁断し、磁気テープを製造するために、従来、広幅の磁気テープを裁断する円板状の上刃と円板状の下刃のオーバーラップの程度を調整したり、上刃または下刃に面取りを施すなどの方法が提案されている。
【０００５】
このような方法によって、磁気テープの裁断面の不規則な凹凸パターンを、ある程度、改善することができるが、磁気テープの裁断面の不規則な凹凸パターンを改善するために、設定すべき円板状の上刃と円板状の下刃のオーバーラップの程度は、円板状の上刃と円板状の下刃の径に依存し、裁断に使用する円板状の上刃と円板状の下刃の径に応じて、円板状の上刃と円板状の下刃のオーバーラップの程度を実験的に設定することが必要不可欠であるし、また、上刃または下刃に面取りを施すだけでは、磁気テープの裁断面の不規則な凹凸パターンを十分に改善することができないため、磁気テープの裁断面の不規則な凹凸パターンを、所望のように改善し得る方法の開発が望まれていた。
【０００６】
したがって、本発明は、互いにオーバーラップし、反対向きに回転する円板状の上刃と下刃の間に、広幅の磁気テープを供給し、その長手方向に沿って、広幅の磁気テープを裁断して、磁気テープを製造する際に、得られる磁気テープの裁断面の不規則な凹凸パターンを最小限に抑制することができ、データの記録時あるいはデータの再生時に、磁気テープの裁断面の不規則な凹凸パターンに起因して、磁気テープの裁断面の一部が、磁気テープの裁断面から剥離して、脱落することを効果的に防止することができる磁気テープの製造方法を提供することを目的とするものである。
【０００７】
【課題を解決するための手段】
本発明者は、本発明のかかる目的を達成するため、鋭意研究を重ねた結果、磁気テープの裁断面の不規則な凹凸パターンが、円板状の上刃の径、円板状の下刃の径および円板状の上刃と円板状の下刃とオーバーラップの程度のいかんにかかわらず、互いにオーバーラップし、反対向きに回転する円板状の上刃と円板状の下刃によって、その間に供給された広幅の磁気テープの裁断が開始されるときの円板状の上刃と円板状の下刃の裁断開始角度に依存することを見出し、上刃として、下刃に対向する面が面取りされた上刃を用いた場合には、互いにオーバーラップし、反対向きに回転する前記円板状の上刃と前記円板状の下刃との間に供給された前記広幅の磁気テープの裁断が開始されるときの前記円板状の上刃と前記円板状の下刃のなす裁断開始角度を、６°ないし１２°に設定して、前記広幅の磁気テープを裁断し、磁気テープを製造することによって、本発明の前記目的が達成されることを見出した。
【０００８】
本発明者の研究によれば、上刃として、下刃に対向する面が面取りされた上刃を用いた場合には、互いにオーバーラップし、反対向きに回転する円板状の上刃と円板状の下刃との間に供給された広幅の磁気テープの裁断が開始されるときの円板状の上刃と円板状の下刃のなす裁断開始角度を６°未満に設定するときは、磁気テープの裁断面、ことに、下刃側の裁断面に大きな凹凸パターンが生じることが判明している。
【０００９】
一方、本発明者の研究によれば、上刃として、下刃に対向する面が面取りされた上刃を用いた場合には、互いにオーバーラップし、反対向きに回転する円板状の上刃と円板状の下刃との間に供給された広幅の磁気テープの裁断が開始されるときの円板状の上刃と円板状の下刃のなす裁断開始角度が１２°を越えるときには、磁気テープの裁断面、ことに、上刃側の裁断面に大きな不規則な凹凸パターンが生じることが見出されている。
【００１０】
本明細書において、磁気テープの上刃側の裁断面とは、磁気テープを裁断した後に、上刃に接触している磁気テープの裁断面を指し、磁気テープの下刃側の裁断面とは、磁気テープを裁断した後に、下刃に接触している磁気テープの裁断面を指している。
【００１１】
したがって、上刃として、下刃に対向する面が面取りされた上刃を用いた場合には、互いにオーバーラップし、反対向きに回転する円板状の上刃と円板状の下刃との間に供給された広幅の磁気テープの裁断が開始されるときの円板状の上刃と円板状の下刃のなす裁断開始角度を６°未満に設定する場合および裁断開始角度が１２°を越えるように設定する場合のいずれの場合にも、磁気テープにデータを記録する際に、磁気テープをガイドするデータ記録装置のガイド部材が、磁気テープの裁断面に接触し、あるいは、磁気テープからデータを再生する際に、磁気テープをガイドするデータ再生装置のガイド部材が、磁気テープの裁断面に接触して、裁断面の一部が、磁気テープの裁断面から剥離して、脱落するという不具合が生じるおそれがある。
【００１２】
これに対して、本発明者の研究によれば、上刃として、下刃に対向する面が面取りされた上刃を用いた場合には、反対向きに回転する円板状の上刃と円板状の下刃との間に供給された広幅の磁気テープの裁断が開始されるときの円板状の上刃と円板状の下刃のなす裁断開始角度が大きくなるにしたがって、磁気テープの上刃側の裁断面に生じる不規則な凹凸パターンは大きくなるが、裁断開始角度が１２°以下であれば、磁気テープの上刃側の裁断面に、データ記録装置のガイド部材やデータ再生装置のガイド部材が接触することによって、剥離して、脱落してしまうような凸部が裁断面に形成されるおそれは小さいことが判明している。
【００１３】
その一方で、本発明者の研究によれば、上刃として、下刃に対向する面が面取りされた上刃を用いた場合には、磁気テープの下刃側の裁断面に生じる不規則な凹凸パターンは、反対向きに回転する円板状の上刃と円板状の下刃との間に供給された広幅の磁気テープの裁断が開始されるときの円板状の上刃と円板状の下刃のなす裁断開始角度が６°以上になると、急激に小さくなるが、裁断開始角度が１２°近傍では、ほぼ一定になることが見出されている。
【００１４】
したがって、上刃として、下刃に対向する面が面取りされた上刃を用いた場合には、反対向きに回転する円板状の上刃と円板状の下刃との間に供給された広幅の磁気テープの裁断が開始されるときの円板状の上刃と円板状の下刃のなす裁断開始角度を、６°ないし１２°に設定して、磁気テープを裁断し、磁気テープを製造することによって、磁気テープにデータを記録する際あるいは磁気テープからデータを再生する際に、磁気テープをガイドするガイド部材との接触によって、磁気テープの裁断面の一部が、磁気テープの裁断面から剥離して、脱落するという不具合の発生を、効果的に防止することが可能になる。
【００１５】
本発明において、好ましくは、広幅の磁気テープの裁断が開始されるときの円板状の上刃と円板状の下刃のなす裁断開始角度が、７°ないし１１°に設定されて、広幅の磁気テープが裁断され、磁気テープが製造される。
【００１６】
本発明者の研究によれば、上刃として、下刃に対向する面が面取りされた上刃を用いた場合には、反対向きに回転する円板状の上刃と円板状の下刃との間に供給された広幅の磁気テープの裁断が開始されるときの円板状の上刃と円板状の下刃のなす裁断開始角度が大きくなるにしたがって、磁気テープの上刃側の裁断面に生じる不規則な凹凸パターンは大きくなるが、裁断開始角度が１１°以下の場合には、磁気テープの上刃側の裁断面に、データ記録装置のガイド部材やデータ再生装置のガイド部材が接触することによって、脱落してしまうような凸部が裁断面に形成されることはないことが見出されている。
【００１７】
一方、本発明者の研究によれば、上刃として、下刃に対向する面が面取りされた上刃を用いた場合には、磁気テープの下刃側の裁断面に生じる不規則な凹凸パターンは、反対向きに回転する円板状の上刃と円板状の下刃との間に供給された広幅の磁気テープの裁断が開始されるときの円板状の上刃と円板状の下刃のなす裁断開始角度が７°以上になると、急激に小さくなるが、裁断開始角度が１１°を越えても、顕著な減少は認められないことが判明している。
【００１８】
したがって、上刃として、下刃に対向する面が面取りされた上刃を用いた場合には、反対向きに回転する円板状の上刃と円板状の下刃との間に供給された広幅の磁気テープの裁断が開始されるときの円板状の上刃と円板状の下刃のなす裁断開始角度を、７°ないし１１°に設定して、磁気テープを裁断し、磁気テープを製造することによって、磁気テープにデータを記録する際あるいは磁気テープからデータを再生する際に、磁気テープをガイドするガイド部材との接触によって、磁気テープの裁断面の一部が、磁気テープの裁断面から剥離して、脱落するという不具合の発生を、確実に防止することが可能になる。
【００１９】
本発明のさらに好ましい実施態様においては、広幅の磁気テープの裁断が開始されるときの円板状の上刃と円板状の下刃のなす裁断開始角度が、８°ないし１０°に設定されて、広幅の磁気テープが裁断され、磁気テープが製造される。
【００２０】
本発明の好ましい実施態様においては、前記上刃が、１ないし２０°に面取りされている。
【００２１】
本発明のさらに好ましい実施態様においては、前記上刃が、１ないし１５°に面取りされている。
【００２２】
本発明のさらに好ましい実施態様においては、前記上刃が、１ないし５°に面取りされている。
【００２３】
本発明の好ましい実施態様においては、前記上刃が、３．５μｍ以下の幅で面取りされている。
【００２４】
本発明のさらに好ましい実施態様においては、前記上刃が、２μｍ以下の幅で面取りされている。
【００２５】
本発明のさらに好ましい実施態様においては、前記上刃が、１μｍ以下の幅で面取りされている。
【００２６】
本発明において、磁気テープの種類はとくに限定されるものではなく、コンピュータ用データバックアップテープ、オーディオ用磁気テープ、ビデオ用磁気テープ、８ｍｍビデオ用磁気テープなど磁気テープ一般を含み、単層の磁気記録層が形成されていても、多層の磁気記録層が形成されていてもよい。
【００２７】
本発明において、磁気テープは、支持体と、支持体の一方の面に形成された１層または多層の磁気記録層と、支持体の他の面に形成されたバックコート層を備えているが、磁気記録層と支持体との密着性を向上させるために、磁気記録層と支持体の間に、下塗り層が設けられていてもよい。
【００２８】
本発明の好ましい実施態様においては、前記磁気テープが、コンピュータ用データバックアップテープとして、構成されている。
【００２９】
【発明の実施の形態】
以下、添付図面に基づいて、本発明の好ましい実施態様につき、詳細に説明を加える。
【００３０】
図１は、広幅の磁気テープが、その長手方向に沿って、理想的に裁断されて、生成された磁気テープの略横断面図である。
【００３１】
本実施態様にかかる磁気テープ１は、コンピュータ用データバックアップテープとして用いられ、図１に示されるように、コンピュータ用データバックアップテープ１は、支持体２を備え、支持体２の一方の面には、アンダーコート層３と、データを記録する磁気記録層４が形成され、他方の面には、バックコート層５が形成されている。
【００３２】
本実施態様においては、コンピュータ用データバックアップテープ１の支持体２は、６．０ないし６．５μｍ、好ましくは、６．１ないし６．３μｍの厚さを有し、支持体２の一方の面に、０．５ないし２．５μｍの厚さのアンダーコート層３と、０．０５ないし０．５μｍの厚さの磁気記録層４が形成され、支持体２の他方の面に、０．４ないし０．７μｍの厚さのバックコート層５が形成されている。
【００３３】
図１に示されたコンピュータ用データバックアップテープ１は、広幅の支持体２の一方の面に、塗布などによって、アンダーコート層３および磁気記録層４が形成され、他方の面に、塗布などにより、バックコート層５が形成された広幅の磁気テープ（図示せず）が、その長手方向に、所定の幅に裁断されて、形成される。
【００３４】
図２は、本発明の好ましい実施態様にかかる磁気テープ裁断装置の略横断面図であり、図３は、図２において、Ａで示された部分の略一部拡大断面図である。
【００３５】
図２に示されるように、本実施態様にかかる磁気テープ裁断装置は、約６．２μｍの厚さを有する広幅の支持体２の一方の面に、約２μｍの厚さのアンダーコート層３と、約０．１５μｍの厚さの磁気記録層４が形成され、支持体２の他方の面に、約０．５μｍの厚さのバックコート層５が形成された広幅の磁気テープ（図示せず）を、所定の幅に裁断して、コンピュータ用データバックアップテープ１を製造可能に構成され、それぞれが、円板状の上刃６と、円板状の下刃７を備えた複数の裁断ユニット８を備えており、各裁断ユニット８の円板状の上刃６および下刃７は、回転可能に構成されている。
【００３６】
図３において、ＯＬは、上刃６と下刃７のオーバーラップしている部分の長さである。
【００３７】
図４は、上刃６の略拡大横断面図である。
【００３８】
図４に示されるように、本実施態様においては、上刃６として、下刃７に対向する面が、下刃７の上刃６に対向する面との角度αが約４．５°で、面取り幅Ｗが約０．５μｍとなるように、面取りされ、下刃７に対向する面と反対側の面に、先端部に向かうにつれて、上刃６の厚さが減少するように、傾斜面が形成された上刃６が用いられている。
【００３９】
図５は、図１に示された磁気テープ裁断装置を構成する各裁断ユニット８の略縦断面図である。
【００４０】
図５に示されるように、本実施態様にかかる磁気テープ裁断装置を構成する各裁断ユニット８においては、円板状の上刃６と、円板状の下刃７は、互いに反対向きに回転され、広幅の磁気テープは、磁気記録層４が上刃側に位置し、バックコート層５が下刃側に位置するように、円板状の上刃６と円板状の下刃７の間に供給され、磁気テープ裁断装置を構成する隣り合った裁断ユニット８の上刃６と下刃７によって、広幅の磁気テープが所定の幅に裁断されて、コンピュータ用データバックアップテープ１が製造される。
【００４１】
本実施態様においては、円板状の上刃６と円板状の下刃７によって、その間に供給された広幅の磁気テープの裁断が開始されるときの円板状の上刃６と円板状の下刃７のなす角度（以下、「裁断開始角度」という）θが、６°ないし１２°に、好ましくは、７°ないし１１°に設定されている。
【００４２】
ここに、上刃６と下刃７のなす裁断開始角度θは、上刃６と下刃７のオーバーラップしている部分の長さＯＬを調整することによって、設定される。
【００４３】
図６は、広幅の磁気テープが、その長手方向に沿って、所定の幅に裁断されて、生成されたコンピュータ用データバックアップテープ１の略横断面図である。
【００４４】
図６に示されるように、広幅の磁気テープが、その長手方向に沿って、所定の幅に裁断されて、生成されたコンピュータ用データバックアップテープ１の上刃側の裁断面は不規則な凹凸パターンを有し、通常、磁気記録層４の表面に近い部分で突出し、一方、下刃側の裁断面は、通常、バックコート層５に近い部分で突出している。
【００４５】
ここに、コンピュータ用データバックアップテープ１の磁気記録層４へのデータの記録にあたっては、コンピュータ用データバックアップテープ１の両側面、すなわち、両裁断面が、ガイド部材によってガイドされて、コンピュータ用データバックアップテープ１がデータ記録装置内を送られ、一方、コンピュータ用データバックアップテープ１の磁気記録層４に記録されたデータの再生にあたっては、コンピュータ用データバックアップテープ１の両裁断面が、ガイド部材によってガイドされて、コンピュータ用データバックアップテープ１がデータ再生装置内を送られるように構成されている。
【００４６】
したがって、コンピュータ用データバックアップテープ１の裁断面の突出量が所定量を越えると、データの記録時あるいはデータの再生時に、データ記録装置あるいはデータ再生装置のガイド部材が、コンピュータ用データバックアップテープ１の裁断面の突出部に接触することに起因して、裁断面の突出部が、コンピュータ用データバックアップテープ１から剥離して、脱落するという不具合を生ずるおそれがある。
【００４７】
しかしながら、本実施態様においては、上刃６として、上刃６の下刃７に対向する面が、下刃７の上刃６に対向する面との角度αが約４．５°で、面取り幅Ｗが約０．５μｍとなるように、面取りされ、下刃７に対向する面と反対側の上刃６の面に、先端部に向かうにつれて、上刃６の厚さが減少するように、傾斜面が形成された上刃６を用い、上刃６と下刃７のオーバーラップしている部分の長さＯＬを調整することにより、上刃６と下刃７のなす裁断開始角度θが、６°ないし１２°に、好ましくは、７°ないし１１°に設定されているから、生成されたコンピュータ用データバックアップテープ１の裁断面の突出量を所定量以下に抑制することができ、データの記録時あるいはデータの再生時に、データ記録装置あるいはデータ再生装置のガイド部材が、コンピュータ用データバックアップテープ１の裁断面の突出部に接触することに起因して、裁断面の突出部が、コンピュータ用データバックアップテープ１から剥離して、脱落することを効果的に防止することが可能になる。
【００４８】
【実施例】
以下、本発明の効果を、より一層明らかにするため、実施例を掲げる。
【００４９】
実施例
幅５００ｍｍで、６．１μｍの厚さのポリエチレンナフタレート製の広幅の支持体２の一方の面に、２μｍの厚さのアンダーコート層３と、０．１５μｍの厚さの磁気記録層４を形成するとともに、支持体２の他方の面に、０．５μｍの厚さのバックコート層５を形成して、広幅の磁気テープを製造した。
【００５０】
次いで、それぞれ、径が１００ｍｍの上刃６および下刃７を備えた一対の裁断ユニット８を用いて、広幅の磁気テープを裁断して、幅１２．６５ｍｍのコンピュータ用データバックアップテープ１を生成した。
【００５１】
ここに、上刃６としては、上刃６の下刃７に対向する面が、下刃７の上刃６に対向する面との角度αが４．５°で、面取り幅Ｗが０．５μｍとなるように、面取りされ、下刃７に対向する面と反対側の上刃６の面に、先端部に向かうにつれて、上刃６の厚さが減少するように、傾斜面が形成された上刃６を用い、一対の裁断ユニットの上刃６と下刃７のオーバーラップしている部分の長さＯＬを変化させて、上刃６と下刃７のなす裁断開始角度θを変化させ、それぞれの場合に、磁気テープが裁断されて、生成されたコンピュータ用データバックアップテープ１の両裁断面の状況を検査した。
【００５２】
図７は、コンピュータ用データバックアップテープ１の上刃側の裁断面の最大突出量ＰＵと、上刃６と下刃７のなす裁断開始角度θとの関係を示すグラフであり、図８は、コンピュータ用データバックアップテープ１の下刃側の裁断面の最大突出量ＰＬと、上刃６と下刃７のなす裁断開始角度θとの関係を示すグラフである。
【００５３】
図７に示されるように、上刃６および下刃７の径が１００ｍｍの場合において、コンピュータ用データバックアップテープ１の上刃側の裁断面の最大突出量ＰＵ（μｍ）は、裁断開始角度θが大きくなるにしたがって、ほぼ線形に増大することが認められた。
【００５４】
一方、図８に示されるように、上刃６として、上刃６の下刃７に対向する面が、下刃７の上刃６に対向する面との角度αが４．５°で、面取り幅Ｗが０．５μｍとなるように、面取りされ、下刃７に対向する面と反対側の上刃６の面に、先端部に向かうにつれて、上刃６の厚さが減少するように、傾斜面が形成された上刃６を用い、上刃６および下刃７の径が１００ｍｍの場合においては、コンピュータ用データバックアップテープ１の下刃側の裁断面の最大突出量ＰＬ（μｍ）は、裁断開始角度θが約１０°以上の角度領域で、裁断開始角度θが大きくなるにしたがって、ほぼ線形に減少し、裁断開始角度θが約７°と約１０°との間で、急激に減少することが認められた。
【００５５】
また、図８に示されるように、上刃６として、上刃６の下刃７に対向する面が、下刃７の上刃６に対向する面との角度αが４．５°で、面取り幅Ｗが０．５μｍとなるように、面取りされ、下刃７に対向する面と反対側の上刃６の面に、先端部に向かうにつれて、上刃６の厚さが減少するように、傾斜面が形成された上刃６を用いるときは、裁断開始角度θが約７°の場合にも、コンピュータ用データバックアップテープ１の下刃側の裁断面の最大突出量ＰＬ（μｍ）は、１．２５μｍ程度に過ぎないが、裁断開始角度θが小さくなるにしたがって、コンピュータ用データバックアップテープ１の下刃側の裁断面の最大突出量ＰＬ（μｍ）が増大する傾向にあることが認められた。
【００５６】
本発明者の研究によれば、コンピュータ用データバックアップテープ１の裁断面の最大突出量ＰＵ（μｍ）あるいはＰＬ（μｍ）が１．５０μｍを越えている場合には、データの記録時あるいはデータの再生時に、データ記録装置あるいはデータ再生装置のガイド部材が、コンピュータ用データバックアップテープ１の裁断面の突出部に接触することに起因して、裁断面の突出部が、コンピュータ用データバックアップテープ１の裁断面から、剥離して、脱落するという不具合を生ずるおそれが高いことが見出されている。
【００５７】
したがって、上刃６として、上刃６の下刃７に対向する面が、下刃７の上刃６に対向する面との角度αが４．５°で、面取り幅Ｗが０．５μｍとなるように、面取りされ、下刃７に対向する面と反対側の上刃６の面に、先端部に向かうにつれて、上刃６の厚さが減少するように、傾斜面が形成された上刃６を用いるときは、図７に示されるように、上刃６と下刃７のなす裁断開始角度θが１２°を越えると、コンピュータ用データバックアップテープ１の上刃側の裁断面の最大突出量ＰＵ（μｍ）が１．５０μｍを越えるおそれがあり、コンピュータ用データバックアップテープ１の上刃側の裁断面の突出部が、データの記録時あるいはデータの再生時に、コンピュータ用データバックアップテープ１の裁断面から剥離して、脱落するおそれが高くなるから、コンピュータ用データバックアップテープ１の上刃側の裁断面の突出部が、データの記録時あるいはデータの再生時に、コンピュータ用データバックアップテープ１の裁断面から剥離して、脱落することを防止するためには、裁断開始角度θを１２°以下に設定して、広幅の磁気テープを裁断し、コンピュータ用データバックアップテープ１を生成する必要があることが判明した。
【００５８】
一方、上刃６として、上刃６の下刃７に対向する面が、下刃７の上刃６に対向する面との角度αが４．５°で、面取り幅Ｗが０．５μｍとなるように、面取りされ、下刃７に対向する面と反対側の上刃６の面に、先端部に向かうにつれて、上刃６の厚さが減少するように、傾斜面が形成された上刃６を用いるときは、図８に示されるように、上刃６と下刃７のなす裁断開始角度θが６°未満になると、コンピュータ用データバックアップテープ１の下刃側の裁断面の最大突出量ＰＬ（μｍ）が、１．５０μｍを越えるおそれがあり、コンピュータ用データバックアップテープ１の下刃側の裁断面の突出部が、データの記録時あるいはデータの再生時に、コンピュータ用データバックアップテープ１の裁断面から剥離して、脱落するおそれが生じるから、コンピュータ用データバックアップテープ１の下刃側の裁断面の突出部が、データの記録時あるいはデータの再生時に、コンピュータ用データバックアップテープ１の裁断面から剥離して、脱落することを防止するためには、裁断開始角度θを６°以上に設定して、広幅の磁気テープを裁断し、コンピュータ用データバックアップテープ１を生成する必要があることが判明した。
【００５９】
したがって、上刃６として、上刃６の下刃７に対向する面が、下刃７の上刃６に対向する面との角度αが４．５°で、面取り幅Ｗが０．５μｍとなるように、面取りされ、下刃７に対向する面と反対側の上刃６の面に、先端部に向かうにつれて、上刃６の厚さが減少するように、傾斜面が形成された上刃６を用いるときは、図７および図８から、データの記録時あるいはデータの再生時に、コンピュータ用データバックアップテープ１の裁断面の突出部が、コンピュータ用データバックアップテープ１の裁断面から剥離して、脱落することを効果的に防止するためには、上刃６と下刃７のなす裁断開始角度θを、６°ないし１２°に設定して、広幅の磁気テープを裁断し、コンピュータ用データバックアップテープ１を生成する必要があることがわかった。
【００６０】
さらに、上刃６として、上刃６の下刃７に対向する面が、下刃７の上刃６に対向する面との角度αが４．５°で、面取り幅Ｗが０．５μｍとなるように、面取りされ、下刃７に対向する面と反対側の上刃６の面に、先端部に向かうにつれて、上刃６の厚さが減少するように、傾斜面が形成された上刃６を用いるときは、図７から、上刃６と下刃７のなす裁断開始角度θが１１°以下になると、コンピュータ用データバックアップテープ１の上刃側の裁断面の最大突出量ＰＵ（μｍ）が臨界的な値である１．５０μｍよりも十分に小さなることがわかるから、裁断開始角度θを１１°以下に設定して、広幅の磁気テープを裁断し、コンピュータ用データバックアップテープ１を生成することによって、データの記録時あるいはデータの再生時に、コンピュータ用データバックアップテープ１の上刃側の裁断面の突出部が、コンピュータ用データバックアップテープ１の裁断面から剥離して、脱落することを確実に防止することが可能になることが判明した。
【００６１】
一方、上刃６として、上刃６の下刃７に対向する面が、下刃７の上刃６に対向する面との角度αが４．５°で、面取り幅Ｗが０．５μｍとなるように、面取りされ、下刃７に対向する面と反対側の上刃６の面に、先端部に向かうにつれて、上刃６の厚さが減少するように、傾斜面が形成された上刃６を用いるときは、図８から、上刃６と下刃７のなす裁断開始角度θが７°以上になると、コンピュータ用データバックアップテープ１の下刃側の裁断面の最大突出量ＰＬ（μｍ）が急激に小さくなることがわかるから、裁断開始角度θを７°以上に設定して、広幅の磁気テープを裁断し、コンピュータ用データバックアップテープ１を生成することによって、データの記録時あるいはデータの再生時に、コンピュータ用データバックアップテープ１の下刃側の裁断面の突出部が、コンピュータ用データバックアップテープ１の裁断面から剥離して、脱落することを確実に防止することが可能になることが判明した。
【００６２】
したがって、上刃６として、上刃６の下刃７に対向する面が、下刃７の上刃６に対向する面との角度αが４．５°で、面取り幅Ｗが０．５μｍとなるように、面取りされ、下刃７に対向する面と反対側の上刃６の面に、先端部に向かうにつれて、上刃６の厚さが減少するように、傾斜面が形成された上刃６を用いるときは、図７および図８から、上刃６と下刃７のなす裁断開始角度θを７°ないし１１°に設定して、広幅の磁気テープを裁断し、コンピュータ用データバックアップテープ１を生成することによって、データの記録時あるいはデータの再生時に、コンピュータ用データバックアップテープ１の裁断面の突出部が、コンピュータ用データバックアップテープ１の裁断面から剥離して、脱落することを確実に防止し得ることがわかった。
【００６３】
図９は、コンピュータ用データバックアップテープ１の上刃側の裁断面のプロファイルと、上刃６と下刃７のなす裁断開始角度θとの関係を示す図面であり、図１０は、コンピュータ用データバックアップテープ１の下刃側の裁断面のプロファイルと、上刃６と下刃７のなす裁断開始角度θとの関係を示す図面である。
【００６４】
図９および図１０においては、右側が、コンピュータ用データバックアップテープ１の磁気記録層４が形成された側を指し、左側が、コンピュータ用データバックアップテープ１のバックコート層５が形成された側を指している。
【００６５】
図９から、上刃６として、上刃６の下刃７に対向する面が、下刃７の上刃６に対向する面との角度αが４．５°で、面取り幅Ｗが０．５μｍとなるように、面取りされ、下刃７に対向する面と反対側の上刃６の面に、先端部に向かうにつれて、上刃６の厚さが減少するように、傾斜面が形成された上刃６を用いるときは、上刃６と下刃７のなす裁断開始角度θが大きくなるにつれて、コンピュータ用データバックアップテープ１の上刃側の裁断面の最大突出量ＰＵ（μｍ）が大きくなり、裁断開始角度θが１２°を越えると、コンピュータ用データバックアップテープ１の上刃側の裁断面の最大突出量ＰＵ（μｍ）がきわめて大きくなって、コンピュータ用データバックアップテープ１の上刃側の裁断面の突出部の形状も、データ記録装置やデータ再生装置のガイド部材と接触したときに、ガイド部材によって、コンピュータ用データバックアップテープ１の裁断面から剥離されやすい形状になることがわかる。
【００６６】
一方、図１０から、上刃６として、上刃６の下刃７に対向する面が、下刃７の上刃６に対向する面との角度αが４．５°で、面取り幅Ｗが０．５μｍとなるように、面取りされ、下刃７に対向する面と反対側の上刃６の面に、先端部に向かうにつれて、上刃６の厚さが減少するように、傾斜面が形成された上刃６を用いるときは、上刃６と下刃７のなす裁断開始角度θが小さくなるにつれて、コンピュータ用データバックアップテープ１の下刃側の裁断面の最大突出量ＰＬ（μｍ）が大きくなり、裁断開始角度θが６°未満になると、コンピュータ用データバックアップテープ１の下刃側の裁断面の最大突出量ＰＬ（μｍ）がきわめて大きくなって、コンピュータ用データバックアップテープ１の下刃側の裁断面の突出部の形状も、データ記録装置やデータ再生装置のガイド部材と接触したときに、ガイド部材によって、コンピュータ用データバックアップテープ１の裁断面から剥離されやすい形状になることが読み取れる。
【００６７】
したがって、コンピュータ用データバックアップテープ１の裁断面のプロファイルを示す図９および図１０からも、上刃６として、上刃６の下刃７に対向する面が、下刃７の上刃６に対向する面との角度αが４．５°で、面取り幅Ｗが０．５μｍとなるように、面取りされ、下刃７に対向する面と反対側の上刃６の面に、先端部に向かうにつれて、上刃６の厚さが減少するように、傾斜面が形成された上刃６を用いるときは、データの記録時あるいはデータの再生時に、コンピュータ用データバックアップテープ１の裁断面の突出部が、コンピュータ用データバックアップテープ１の裁断面から剥離して、脱落することを防止するためには、上刃６と下刃７のなす裁断開始角度θを、６°ないし１２°に設定して、広幅の磁気テープを裁断し、コンピュータ用データバックアップテープ１を生成する必要があることがわかった。
【００６８】
さらに、図９から、上刃６として、上刃６の下刃７に対向する面が、下刃７の上刃６に対向する面との角度αが４．５°で、面取り幅Ｗが０．５μｍとなるように、面取りされ、下刃７に対向する面と反対側の上刃６の面に、先端部に向かうにつれて、上刃６の厚さが減少するように、傾斜面が形成された上刃６を用いるときは、上刃６と下刃７のなす裁断開始角度θが１１°以下の場合には、コンピュータ用データバックアップテープ１の上刃側の裁断面の最大突出量ＰＵ（μｍ）が小さくなり、コンピュータ用データバックアップテープ１の上刃側の裁断面の突出部の形状も滑らかになって、データ記録装置やデータ再生装置のガイド部材と接触しても、ガイド部材によって、コンピュータ用データバックアップテープ１の裁断面から剥離されにくい形状になることがわかる。
【００６９】
その一方で、図１０から、上刃６として、上刃６の下刃７に対向する面が、下刃７の上刃６に対向する面との角度αが４．５°で、面取り幅Ｗが０．５μｍとなるように、面取りされ、下刃７に対向する面と反対側の上刃６の面に、先端部に向かうにつれて、上刃６の厚さが減少するように、傾斜面が形成された上刃６を用いるときは、上刃６と下刃７のなす裁断開始角度θが７°以上になると、コンピュータ用データバックアップテープ１の下刃側の裁断面の最大突出量ＰＬ（μｍ）が急激に小さくなり、コンピュータ用データバックアップテープ１の下刃側の裁断面の突出部の形状も、データ記録装置やデータ再生装置のガイド部材と接触しても、ガイド部材によって、コンピュータ用データバックアップテープ１の裁断面から剥離されにくい形状になることが読み取れる。
【００７０】
したがって、図９および図１０からも、上刃６として、上刃６の下刃７に対向する面が、下刃７の上刃６に対向する面との角度αが４．５°で、面取り幅Ｗが０．５μｍとなるように、面取りされ、下刃７に対向する面と反対側の上刃６の面に、先端部に向かうにつれて、上刃６の厚さが減少するように、傾斜面が形成された上刃６を用いるときは、上刃６と下刃７のなす裁断開始角度θを７°ないし１１°に設定して、広幅の磁気テープを裁断し、コンピュータ用データバックアップテープ１を生成することによって、データの記録時あるいはデータの再生時に、コンピュータ用データバックアップテープ１の裁断面の突出部が、コンピュータ用データバックアップテープ１の裁断面から剥離して、脱落することを確実に防止し得ることがわかった。
【００７１】
本発明は、以上の実施態様に限定されることなく、特許請求の範囲に記載された発明の範囲内で種々の変更が可能であり、それらも本発明の範囲内に包含されるものであることはいうまでもない。
【００７２】
たとえば、前記実施態様および前記実施例においては、広幅の磁気テープを裁断して、コンピュータ用データバックアップテープを製造する場合につき、説明を加えたが、本発明は、広幅の磁気テープを裁断して、コンピュータ用データバックアップテープを製造する場合に限定されるものではなく、広幅の磁気テープを裁断して、オーディオ用磁気テープ、ビデオ用磁気テープ、８ｍｍビデオ用磁気テープなど、広く、磁気テープを製造する場合にも適用することができ、磁気記録層４が単層の場合だけでなく、多層の磁気記録層４を備えた磁気テープを製造する場合にも適用することができる。
【００７３】
【発明の効果】
本発明によれば、互いにオーバーラップし、反対向きに回転する円板状の上刃と下刃の間に、広幅の磁気テープを供給し、その長手方向に沿って、広幅の磁気テープを裁断して、得られる磁気テープの裁断面の不規則な凹凸パターンを最小限に抑制することができ、データの記録時あるいはデータの再生時に、磁気テープの裁断面の不規則な凹凸パターンに起因して、磁気テープの裁断面の一部が、磁気テープの裁断面から剥離して、脱落することを効果的に防止することができる磁気テープの裁断方法を提供することが可能になる。
【図面の簡単な説明】
【図１】図１は、広幅の磁気テープが、その長手方向に沿って、理想的に裁断されて、生成されたコンピュータ用データバックアップテープの略横断面図である。
【図２】図２は、本発明の好ましい実施態様にかかる磁気テープ裁断装置の略横断面図である。
【図３】図３は、図２において、Ａで示された部分の略一部拡大断面図である。
【図４】図４は、上刃の略拡大横断面図である。
【図５】図５は、図１に示された磁気テープ裁断装置を構成する各裁断ユニットの略縦断面図である。
【図６】図６は、広幅の磁気テープが、その長手方向に沿って、裁断されて、生成されたコンピュータ用データバックアップテープの略横断面図である。
【図７】図７は、コンピュータ用データバックアップテープの上刃側の裁断面の最大突出量と、上刃と下刃のなす裁断開始角度θとの関係を示すグラフである。
【図８】図８は、コンピュータ用データバックアップテープの下刃側の裁断面の最大突出量と、上刃と下刃のなす裁断開始角度θとの関係を示すグラフである。
【図９】図９は、コンピュータ用データバックアップテープの上刃側の裁断面のプロファイルと、上刃と下刃のなす裁断開始角度θとの関係を示す図面である。
【図１０】図１０は、コンピュータ用データバックアップテープの下刃側の裁断面のプロファイルと、上刃と下刃のなす裁断開始角度θとの関係を示す図面である。
【符号の説明】
１  コンピュータ用データバックアップテープ
２  支持体
３  アンダーコート層
４  磁気記録層
５  バックコート層
６  上刃
７  下刃
８  裁断ユニット
【図１】
2004272967.tif 000003
【図２】
2004272967.tif 000004
【図３】
2004272967.tif 000005
【図４】
2004272967.tif 000006
【図５】
2004272967.tif 000007
【図６】
2004272967.tif 000008
【図７】
2004272967.tif 000009
【図８】
2004272967.tif 000010
【図９】
2004272967.tif 000011
【図１０】
2004272967.tif 000012